(57)【特許請求の範囲】
【請求項１】
筆記具の一端に被せて前記筆記具を保持するためのキャップと、前記キャップを他の物品に連結するための連結部材とを含むペンキーパーにおいて、
前記キャップは、伸縮性と密着性の良好な材料を用いて有底筒状に形成され、前記筆記具に被せるための開口部を除いて密閉され、
前記キャップには、前記開口部の周囲および長手方向の中間部の周囲に肉厚部分が形成されたことを特徴とする、ペンキーパー。
【請求項２】
前記キャップの前記開口部と反対側の底部外側に、前記連結部材と接続するための接続孔が形成された、請求項１に記載のペンキーパー。
【請求項３】
請求項１または請求項２に記載のペンキーパーを用いた筆記具の保持方法であって、
前記キャップの開口部に筆記具の端部を挿入するステップ、
前記キャップの筒状部を押さえることにより前記筆記具の側面と前記キャップの内面との間に空気を送り込むステップ、および
前記筆記具を前記キャップの底部側に向かって押し込むステップを含む、ペンキーパーを用いた筆記具の保持方法。
【発明の詳細な説明】
【０００１】
【発明の属する技術分野】
この発明は、ペンキーパーおよびそれを用いた筆記具の保持方法に関し、特に、たとえば書類やメモ用紙などを挟むクリップボードなどに筆記具を連結するために用いられるペンキーパーと、それを用いた筆記具の保持方法に関する。
【０００２】
【従来の技術】
ペンキーパー１は、図７に示すように、クリップボード２などに連結される。ペンキーパー１は、たとえばボールペン３の一端を保持するためのキャップ４を含む。キャップ４は、硬質の合成樹脂材料で形成され、ボールペン３のペン先と反対側の端部に被せられる。ここで、キャップ４の内径は、ボールペン３の外径とほぼ同じ寸法となるように形成され、ボールペン３はキャップ４によって保持される。
【０００３】
キャップ４は、コイル状に形成された連結部材５に接続され、クリップボート２などに連結される。クリップボード２は、メモ用紙などの下敷きとなるボード６を含み、ボード６にメモ用紙を挟むためのクリップ７が形成されている。このように、ペンキーパー１を用いることにより、ボールペン３をクリップボード２に連結しておくことができ、ボールペン３の紛失や落下を防止することができる。
【０００４】
【発明が解決しようとする課題】
しかしながら、従来のペンキーパーでは、キャップが硬質の合成樹脂材料で形成されているため、筆記具の太さによっては使用できない場合がある。たとえば、太い筆記具の場合、キャップを被せることができず、筆記具を保持することができない。また、キャップが硬質材料で形成されているため、筆記具との密着性が悪く、筆記具がキャップから容易に外れてしまう。容易に外れないような太さの筆記具を用いる場合にはキャップを被せにくく、しかも、筆記具を外したい場合には外しにくいという問題がある。
【０００５】
それゆえに、この発明の主たる目的は、さまざまな太さの筆記具を保持することができ、筆記具の抜き差しが容易であるにもかかわらず、使用中には筆記具が外れにくいペンキーパーを提供することである。
また、この発明の目的は、このようなペンキーパーを用いてボールペンなどの筆記具を保持するための保持方法を提供することである。
【０００６】
【課題を解決するための手段】
この発明は、筆記具の一端に被せて前記筆記具を保持するためのキャップと、キャップを他の物品に連結するための連結部材とを含むペンキーパーにおいて、キャップは、伸縮性と密着性の良好な材料を用いて有底筒状に形成され、筆記具に被せるための開口部を除いて密閉され、キャップには、開口部の周囲および長手方向の中間部の周囲に肉厚部分が形成されたことを特徴とする、ペンキーパーである。
このようなペンキーパーにおいて、キャップの開口部と反対側の底部外側に、連結部材と接続するための接続孔が形成される。
さらにこの発明は、上述のいずれかのペンキーパーを用いた筆記具の保持方法であって、キャップの開口部に筆記具の端部を挿入するステップと、キャップの筒状部を押さえることにより筆記具の側面とキャップの内面との間に空気を送り込むステップと、筆記具をキャップの底部側に向かって押し込むステップとを含む、ペンキーパーを用いた筆記具の保持方法である。
【０００７】
伸縮性と密着性の良好な材料を用いてキャップを形成することにより、筆記具の太さに対応してキャップが伸縮し、筆記具に密着するため、さまざまな太さのボールペンを確実に保持することができる。
また、キャップは開口部を除いて密閉されているため、キャップの開口部に筆記具の端部を挿入して、キャップの筒状部の底部側を押さえることにより、キャップ内部の空気がキャップと筆記具との密着部分に入り込んで、これらの間に隙間が生じる。したがって、キャップと筆記具との間の摩擦力が小さくなり、筆記具を容易にキャップの奥まで押し込むことができる。さらに、筆記具を外すときには、キャップをめくり上げることにより、容易にキャップを外すことができる。
このようなペンキーパーにおいて、キャップの開口部の周囲に肉厚部分を形成することにより、筆記具の抜き差しを行うときに、キャップをめくり上げやすくなる。また、キャップの長手方向の中間部に肉厚部分を形成することにより、キャップに筆記具を押し込むときに、この肉厚部分が指に引っ掛かり、滑りにくくなる。
さらに、キャップに接続孔を形成することにより、連結部材を接続することができ、クリップボードなどの他の物品に筆記具を連結することができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明のペンキーパーの一例を示す平面図である。ペンキーパー１０は、キャップ１２を含む。キャップ１２は、たとえばシリコンゴムやエラストマーなどのような伸縮性および密着性のある材料で形成される。キャップ１２は、図２および図３に示すように、有底筒状に形成され、円筒状の筒状部１４と底部１６とが一体的に形成される。したがって、キャップ１２の開口部を除いて、筒状部１４と底部１６とによって密閉された構造となる。そして、筒状部１４の内部の直径は、開口部から底部１６に向かうにしたがって狭くなるように、テーパ状に形成される。
【００１０】
筒状部１４の開口部の周囲には、リング状に肉厚部１８が形成される。さらに、筒状部１４の長手方向の中間部にも、リング状の肉厚部２０が形成される。また、底部１６の外側には、後述の連結部材を接続するための接続孔２２が形成される。
【００１１】
接続孔２２には、連結部材２４が接続される。連結部材２４は、たとえばＥＶＡ（エチレン−酢酸ビニル共重合体）樹脂のような合成樹脂などで形成された線状のライン部材２６を含む。ライン部材２６の中間部はコイル状に形成され、伸縮可能となるように形成される。ライン部材２６の一端側は、キャップ１２の接続孔２２に挿通され、リング状に折り返されて、ＥＶＡ樹脂などで形成された固定部材２８で固定される。
【００１２】
さらに、ライン部材２６の他端側には、エンド部材３０が取り付けられる。エンド部材３０は、たとえば金属で形成されたリング部３２を含み、リング部３２の端部に接続孔を有する接続部３４が形成される。そして、接続部３４の接続孔にライン部材２６の他端側が挿通され、リング状に折り返されて、固定部材３６で固定される。このエンド部材３０は、クリップボードなどに連結部材２４を取り付けるために用いられる。
【００１３】
このペンキーパー１０を用いてボールペン４０を保持する場合、図４に示すように、キャップ１２の筒状部１４の開口部にボールペン４０の端部が挿入される。それによって、ボールペン４０の端部が筒状部１４の開口部付近に保持される。
【００１４】
次に、図５の矢印Ａに示すように、筒状部１４の底部１６側を押さえることにより、筒状部１４内に閉じ込められた空気が、筒状部１４の内面とボールペン４０の側面との間に入り込む。ここで、筒状部１４の開口部の周囲に肉厚部１８が形成されているため、筒状部１４の先端部はボールペン４０の側面に密着し、内部の空気が漏れにくくなっている。このように、筒状部１４の内面とボールペン４０の側面との間に空気が入り込むことにより、筒状部１４とボールペン４０との間の摩擦力が小さくなり、図５の矢印Ｂに示すように、ボールペン４０をキャップ１２の奥に押し込みやすくなる。したがって、容易にボールペン４０にキャップ１２を被せることができる。また、筒状部の長手方向の中間部に肉厚部２０が形成されているため、キャップ１２を持つ指が肉厚部２０に引っ掛かって、ボールペン４０をキャップ１２内に押し込むときに滑りにくい。
【００１５】
さらに、ボールペン４０をキャップ１２から外すときには、図６の矢印に示すように、筒状部１４が開口部側からめくり上げられる。それにより、キャップ１２から容易にボールペン４０を外すことができる。このとき、筒状部１４の開口部の周囲に肉厚部１８が形成されているため、筒状部１４の開口部をめくり上げやすい。
【００１６】
このように、このペンキーパー１０では、容易にキャップ１２にボールペン４０を抜き差しすることができる。また、キャップ１２は伸縮性および密着性のある材料で形成されているため、ボールペン４０の太さが変っても、それに対応してキャップが伸縮するため、太さの異なる筆記具に対応することができる。しかも、キャップ１２がボールペン４０に被せられている間は、キャップ１２がボールペン４０に密着するため、これらの間の摩擦力によってキャップ１２からボールペン４０が外れにくい。
【００１７】
また、ボールペン４０の軸が円柱状でなく、六角柱状などのような角柱状であっても、キャップ１２が伸縮性および密着性を有しているため、ボールペン４０の形状に合わせて、キャップ１２の内面がボールペン４０の側面に密着する。そのため、ボールペン４０の形状にかかわらず、ボールペン４０を確実に保持することができる。
【００１８】
【発明の効果】
この発明によれば、筆記具の太さや形状に関係なく、確実に筆記具を保持することができる。また、ペンキーパーのキャップへの筆記具の抜き差しが容易で、無理な力を入れる必要がない。
【図面の簡単な説明】
【図１】この発明のペンキーパーの一例を示す平面図である。
【図２】図１に示すペンキーパーのキャップを示す平面図である。
【図３】図２に示すキャップの断面図解図である。
【図４】図２に示すキャップにボールペンの端部を嵌めるときの様子を示す断面図解図である。
【図５】キャップにボールペンの端部を嵌めた後に、ボールペンをキャップの奥まで挿入するときの様子を示す断面図解図である。
【図６】ボールペンをキャップから外すときの様子を示す断面図解図である。
【図７】ペンキーパーを連結したクリップボードの一例を示す図解図である。
【符号の説明】
１０  ペンキーパー
１２  キャップ
１４  筒状部
１６  底部
１８  肉厚部
２０  肉厚部
２２  接続孔
２４  連結部材
４０  ボールペン
【図１】
0003623775.tif 000002
【図２】
0003623775.tif 000003
【図３】
0003623775.tif 000004
【図４】
0003623775.tif 000005
【図５】
0003623775.tif 000006
【図６】
0003623775.tif 000007
【図７】
0003623775.tif 000008